(57)【特許請求の範囲】
【請求項１】
合板又はパーティクルボードの床パネルと、この床パネルの裏面の周縁部を除く所定の領域に開口上端面が接着固定された上端開口箱形の発泡スチロールケースと、床パネルの裏面に発泡スチロールケースが固定される前に床パネルと発砲スチロールケースの間に充填されたグラスウール等の吸音断熱材とを具備したことを特徴とする床パネルユニット。
【請求項２】
上記床パネルが矩形で、この床パネルの縦方向中心線及び又は横方向中心線で床パネルの裏面を複数の矩形の区画領域に分けて、各区画領域の各々の全周縁部を除く中央部に発泡スチロールケースと吸音断熱材を固着したことを特徴とする請求項１記載の床パネルユニット。
【請求項３】
上記床パネル裏面の各区画領域に固定される複数の発泡スチロールケースの各々の外周に、この外周と床パネルの外周の間の部分に延在する外側延在保護部と、隣接する発泡スチロールケースの間に延在する内側延在保護部を、各発泡スチロール外周から刃物で切断分離可能に一体成形したことを特徴とする請求項２記載の床パネルユニット。
【発明の詳細な説明】
【０００１】
【発明の属する技術分野】
本発明は、木造住宅やコンクリート住宅の各階の床に組み込まれる床パネルユニットで、詳しくは防音機能を高めた防音床の捨張り用床パネルユニットに関する。
【０００２】
【従来の技術】
近年、マンションなどの集合住宅の床には防音性を高めた防音床材が多用される傾向にある。防音床材は、中間にゴムシート等の防音シートを圧着させた合板や、裏面にスポンジ等の緩衝材を貼り付けた合板等の様々な防音合板が一般的である。
【０００３】
この種の防音合板を床に使用した木造住宅の床構造としては、角棒の根太の上に防音合板を単層に敷設した根太張り構造と、根太の上に敷設した捨張りパネルの上に防音合板を単層に敷設した捨張り構造がある。捨張りパネルは、木質だけの合板又はパーティクルボードである。また、コンクリート住宅においては、コンクリート床の上にボルトの支持脚で捨張りパネルや防音合板を支持した防音床構造がある。
【０００４】
【発明が解決しようとする課題】
上記の防音合板の外形や断面構造は様々であり、その防音性能も用途に応じて様々であるが、概して構造複雑で高価なものほど防音性能に優れている。そのため、集合住宅のような階下への防音性能に高度なものが要求される床の施工やリフォームにおいては、必然的に高価な防音合板を使用せざるを得ない不具合があった。
【０００５】
また、防音合板の防音性能が多少悪くても、これを捨張りパネル上に敷設して防音床を２層構造にすると防音床全体の防音性能を上げることができるが、捨張りパネル自体の防音性が悪くて、この捨張りパネルによる２層構造防音床全体の防音性能アップの改善効果が小さい。そこで、捨張りパネルの裏面にグラスウール等の吸音材を貼り付けて、捨張りパネル自体に防音性を持たせることも行われているが、この場合、床施工後に捨張りパネル裏面の吸音材がコンクリート床等からの湿気を吸湿し、この湿気を捨張りパネルが吸湿して捨張りパネルに反りが発生し、この反りで捨張りパネル上の防音合板の一部が浮き上がる等の変形をして床の外観が悪くなることがある。
【０００６】
また、防音合板や捨て張りパネルの裏面に貼り付けるグラスウール等の吸音材は断熱材でもあり、このグラスウール等の吸音断熱材の量を多くして床暖房の床材とすることも行われている。しかし、この場合も吸音断熱材が湿気を吸湿して防音合板や捨張りパネルを反らせることがあり、更に、湿気を吸湿することで断熱性が低下して床暖房の熱効率を劣化させることがある。
【０００７】
本発明の目的とするところは、上記捨張りパネルとして使用すれば床の防音性能と断熱性能を上げる防音断熱捨張りパネルとなる多機能な床パネルユニットを提供することにある。
【０００８】
【課題を解決するための手段】
本発明の上記目的を達成する技術的手段は、合板又はパーティクルボードの床パネルと、この床パネルの裏面の周縁部を除く所定の領域に開口上端面が接着固定された上端開口箱形の発泡スチロールケースと、床パネルの裏面に発泡スチロールケースが固定される前に床パネルと発砲スチロールケースの間に充填されたグラスウール等の吸音断熱材とを具備したことを特徴とする。
【０００９】
また、本発明は、上記床パネルが矩形で、この床パネルの縦方向中心線及び又は横方向中心線で床パネルの裏面を複数の矩形の区画領域に分けて、各区画領域の各々の全周縁部を除く中央部に発泡スチロールケースと吸音断熱材を固着したことを特徴とする。
【００１０】
ここで、合板又はパーティクルボードの床パネルは、従来の捨張りパネルに相当するものでよい。この床パネルの裏面に吸音断熱材を発泡スチロールケースで囲んで固定して床パネルユニットが構成される。吸音断熱材は床パネルの内外を伝わる音を吸収して床パネルユニット全体の防音性能を上げる。また、吸音断熱材と発泡スチロールケースは共に優れた断熱材で、床パネルユニットを床暖房構造の床板に使用すると、熱効率の良い床暖房構造が可能となる。また、発泡スチロールケースは耐水耐湿性に優れることから、吸音断熱材を外部湿気から保護して、床パネルユニットの変形（反り）を防止し、断熱性の劣化を防止する。
【００１１】
また、本発明は、上記床パネルの裏面の各区画領域に固定される複数の発泡スチロールケースの各々の外周に、この外周と床パネルの外周の間の部分に延在する外側延在保護部と、隣接する発泡スチロールケースの間に延在する内側延在保護部を、各発泡スチロール外周から刃物で切断分離可能に一体成形したことを特徴する。
【００１２】
ここでの各発泡スチロールケース外周に一体成形された発泡スチロールの外側及び内側延在保護部は、床パネルユニットの梱包や運搬時に床パネルの周縁を外部衝撃力から保護するもので、床パネルユニットを根太等に施工する際に必要に応じて刃物で切断分離される。この延在保護部の切断分離は、延在保護部が発泡スチロールゆえに手動で簡単に行われる。
【００１３】
【発明の実施の形態】
以下、実施例について図１乃至図５を参照して説明する。
【００１４】
図１（Ａ）、（Ｂ）は捨張り構造の防音床を示すもので、根太５に敷設される捨張りパネルが本発明実施例の床パネルユニット１である。この床パネルユニット１は、合板又はパーティクルボードの床パネル２の裏面に上端開口箱形の発泡スチロールケース３とグラスウール等の吸音断熱材４を固定して構成される。根太５上に敷設された床パネル２上に床仕上げ板、例えば既存の防音合板６を敷設して防音床、或いは、床暖房にも適した防音断熱床が施工される。
【００１５】
床パネルユニット１の具体例を図２（Ａ）、（Ｂ）に示すと、床パネル２は横６０６ｍｍで縦１８２０ｍｍの矩形板で、裏面が横中心線と縦中心線で４区画領域に分けられ、この４区画領域の各々に矩形の発泡スチロールケース３が配置される。各発泡スチロールケース３の中にグラスウールの吸音断熱材４を充填して、発泡スチロールケース３が床パネル２に固定される。各発泡スチロールケース３は、５ｍｍ厚の底板と側板を有する深さ４０ｍｍの矩形箱で、その開口上端面が床パネル２の裏面に接着剤で固定される。また、各発泡スチロールケース３の外周と床パネル２の外周の間の床パネル２裏面に所定幅ｗの外側座面１１が形成され、隣接する発泡スチロールケース３の間の床パネル２裏面に２倍幅２ｗの内側座面１２が形成される。幅ｗは根太５の幅の約１／２で、幅ｗの外側座面１１と幅２ｗの内側座面１２を根太５に載せるようにして、床パネル２が根太５上に敷設される。根太５は４５×４５ｍｍの角棒である。
【００１６】
床パネル２の裏面の４区画領域に固定される前の発泡スチロールケース３は、例えば図３に示すように外側延在保護部３ａと内側延在保護部３ｂで一体に連結されている。外側延在保護部３ａは床パネル２の外側座面１１に沿った発泡スチロールの矩形枠であり、内側延在保護部３ｂは床パネル２の十文字状の内側座面１２に沿った発泡スチロールの十文字枠で、この各延在保護部３ａ、３ｂと各発泡スチロールケース３の境界線に沿って部分的に薄肉の連結部３ｃと切取り用スリット７が形成される。各延在保護部３ａ、３ｂは床パネル２の裏面に接着されず遊離しており、この各延在保護部３ａ、３ｂと各発泡スチロールケース３が薄肉の連結部３ｃで一体に連結される。図３（Ｃ）の矢印で示す方向から薄肉の連結部３ｃを刃物で切断することで、発泡スチロールケース３から各延在保護部３ａ、３ｂが分離される。
【００１７】
床パネルユニット１は図３の状態で製造され、梱包されて床施工の現場に運搬される。このとき、床パネルユニット１の裏面を形成する発泡スチロールの各延在保護部３ａ、３ｂが発泡スチロールケース３を梱包時のロープ締付力等の外部衝撃力から保護する。この保護機能で床パネルユニット１の梱包や運搬、床の施工作業が容易になる。
【００１８】
床施工の現場で延在保護部３ａ、３ｂの切り離しが選択される。図１の防音床の施工においては、１つの床パネルユニット１の各延在保護部３ａ、３ｂが切断分離されて、床パネル２の裏面の外側座面１１と内側座面１２が根太５上に載置される。各発泡スチロールケース３は、隣接する根太５の間に嵌入されて防音床の下面を形成する。床パネル２上に防音合板６が敷設されて、２層構造の防音床が施工される。
【００１９】
図１の防音床の場合、床パネルユニット１の吸音断熱材４が床パネル２に伝わる音を吸収して床パネルユニット１全体の防音性を高める。また、発泡スチロールケース３も防音性があり、床パネルユニット１の防音性を尚更に高める。従って、防音合板６の防音性が低くても床パネルユニット１と組み合わせることで防音機能の良い２層構造の防音床が施工できる。
【００２０】
例えば図５で床衝撃音測定試験の実験データを説明する。図５の重量衝撃音グラフＰは、図１の防音床の床パネルユニット１から吸音断熱材４と発泡スチロールケース３を省略したときの従来構造に近い防音床の実験データから作成されたものである。図５の重量衝撃音グラフＱは、図１の本発明床パネルユニット１を組み込んだ防音床の実験データから作成したものである。この床衝撃音測定試験に示すグラフＱは、各中心周波数において床衝撃音レベル計算値がグラフＰより小さくて、床パネルユニット１の使用で床衝撃音レベルのＬ値がほぼ１級ずつ改善されたことが分かる。
【００２１】
図１の防音床は断熱床としても効果的である。即ち、床パネルユニット１の吸音断熱材４と発泡スチロールケース３は共に優れた断熱材であることから、床パネルユニット１を床暖房構造或いは床冷房構造の床板に使用すると、熱効率の良い床暖房或いは床冷房が可能となる。
【００２２】
また、床パネルユニット１の下面を構成する発泡スチロールケース３は耐水耐湿性に優れるため、吸音断熱材４を外部湿気から保護して床パネル２の反り等の変形を防止し、床面の外観を良好に保つ。更に、発泡スチロールケース３が吸音断熱材４の湿気による断熱性劣化を防止して、床パネルユニット１全体の断熱性の低下を抑制する。
【００２３】
以上の実施例は木造住宅の床に使用した床パネルユニット１であるが、この床パネルユニット１は例えば図４に示すようにコンクリート床９にも設置される。図４の床構造は、コンクリート床９に支持脚２０を立て、支持脚２０のボルト２１の上端のブロック２２で床パネルユニット１の床パネル２の外側座面１１を支持し、床パネル２上に防音合板６を敷設したものである。この場合の床パネルユニット１の内側延在部３ｂは、切断せずに残しておくことが望ましい。
【００２４】
尚、本発明は上記実施例に限らず、例えば１枚の板パネルの裏面を２区画領域に等分して、この２区画領域の各々に発泡スチロールケースと吸音断熱材を取り付けるようにしてもよい。
【００２５】
【発明の効果】
本発明によれば、合板やパーティクルボードの床パネルの裏面に固定された吸音断熱材と発泡スチロールケースが床パネルの内外を伝わる音を吸収して床パネルユニット全体の防音性能を上げるので、高価な防音合板を使用することなく防音機能に優れた防音床の施工が可能となる。また、吸音断熱材と発泡スチロールケースは共に優れた断熱材であるので、床パネルユニットを床暖房構造の床板に使用すると熱効率の良い省エネルギー型床暖房が可能となる。更に、耐水耐湿性に優れた発泡スチロールケースが吸音断熱材を外部湿気から保護するので、床パネルの反り等の変形が無くなって床面の外観が良好に維持され、かつ、床パネルユニットの防音性、断熱性の劣化が防止される。
【００２６】
また、発泡スチロールケースの外周に切断分離可能に延在保護部を形成することで、床パネルユニットの梱包や運搬時に発泡スチロールケースが延在保護部で外部衝撃力から保護されて、床パネルユニットの梱包時や床施工時の取り扱いが簡便なものとなる。
【図面の簡単な説明】
【図１】同図（Ａ）は本発明の一実施例の床パネルユニットを備えた床の一部省略部分を含む部分平面図，同図（Ｂ）はＴａ−Ｔａ線に沿う床の部分拡大断面図。
【図２】同図（Ａ）は図１における床パネルユニットの一部省略部分を含む裏面図、同図（Ｂ）はＴｂ−Ｔｂ線の拡大断面図。
【図３】同図（Ａ）は図２の床パネルユニットの施工前の部分裏面図、同図（Ｂ）はＴｃ−Ｔｃ線の拡大断面図、同図（Ｃ）はＴｄ−Ｔｄ線の拡大断面図。
【図４】図１と同じ床パネルユニットを備えた他の床構造を示す床の部分断面図。
【図５】図１の床の衝撃音測定試験データを示す床衝撃音レベル計算値と中心周波数の試験データグラフ図。
【符号の説明】
１    床パネルユニット
２    床パネル
３    発泡スチロールケース
３ａ  外側延在保護部
３ｂ  内側延在保護部
４    吸音断熱材
【図１】
0003927320.tif 000002
【図２】
0003927320.tif 000003
【図３】
0003927320.tif 000004
【図４】
0003927320.tif 000005
【図５】
0003927320.tif 000006